(57)【要約】【課題】暖房モードの開始時に異臭軽減モードを備えた浴室暖房機を提供する。【解決手段】制御手段は、運転モードとして、前記暖房ヒータと前記循環ファンを動作させて浴室内の空気を加熱循環させる暖房モードと、前記回転除湿ロータから循環風路内に放出される異臭を軽減する異臭軽減モードを備え、かつ、制御手段は、選択手段によって暖房モードが選択された場合に、暖房モードの実行に先駆けて、異臭軽減モードを実行した後に前記暖房モードを実行するように構成したものである。  これによって、暖房モードの開始時に、回転除湿ロータの除湿通路に吸着された異臭物質が、循環ファンによって吸引された大量の空気中の水分と一気に置換されて、大量に室内に放出されるのを防止したものである。【選択図】  図２１
2008157569.tif 000002
【特許請求の範囲】
【請求項１】
室内の空気を循環させながら空気中の湿度を除去する室内用暖房除湿装置において、
前記室内の空気を吸引する吸引口と、
前記吸引口から吸引された空気が通過する際に空気中の水分を吸着する複数の除湿通路からなる回転除湿ロータと、
前記回転除湿ロータより吸引口側となる上流位置で、前記回転除湿ロータの一部の領域において複数の除湿通路と対面するように設けられた再生ヒータと、
前記回転除湿ロータより下流で、かつ前記再生ヒータと対応する位置に入口が設けられた再生風路と、
前記再生風路内に設けられた再生ファンと、
前記吸引口から吸引され、かつ前記回転除湿ロータの前記再生ヒータと対面していない他部の領域の除湿通路を通過した空気を前記浴室内に向けて吹き出させる循環吹出口と、
前記回転除湿ロータと前記循環吹出口を連結する循環風路と、
循環風路内に設けられた循環ファンと、
循環風路内に設けられ、循環風路内の空気を加熱する暖房ヒータと、
複数の運転モードの中から特定の運転モードを選択させる運転モード選択手段と、
前記運転モード選択手段からの信号を受け、この信号に基づいて前記室内用暖房除湿装置を指定された運転モードで運転させる制御手段と、
を備え、
前記制御手段は、
運転モードとして、前記暖房ヒータと前記循環ファンを動作させて浴室内の空気を加熱循環させる暖房モードと、
前記回転除湿ロータから前記循環風路内に放出される異臭を軽減する異臭軽減モードを備え、
かつ、前記制御手段は、前記選択手段によって暖房モードが選択された場合に、前記暖房モードの実行に先駆けて、前記異臭軽減モードを実行した後に前記暖房モードを実行するように構成したことを特徴とする室内用暖房除湿装置。
【請求項２】
前記回転除湿ロータ下流の前記循環風路から分岐して室外に空気を排出する排気風路を備え、前記異臭軽減モードは、前記回転除湿ロータから放出された異臭物質を、排気風路を介して室外に排出するものであることを特徴とする請求項１記載の室内用暖房除湿装置。
【請求項３】
前記異臭軽減モードは、前記回転除湿ロータを回転させながら、前記再生ヒータ及び前記再生ファンを動作させることで回転除湿ロータの異臭物質を強制的に加熱除去するクリーニングモードであることを特徴とする請求項１記載の室内用暖房除湿装置。
【請求項４】
前記異臭軽減モードは、前記循環ファンの回転速度を所定時間低下させて暖房モードを実行するものであることを特徴とする請求項１記載の室内用暖房除湿装置。
【請求項５】
前記異臭軽減モードの実行時は、前記循環ファンの回転を低下させた暖房モードを実行するものであることを特徴とする請求項２又は３記載の室内用暖房除湿装置。
【請求項６】
前記制御手段は、前記選択手段によって前記暖房モードが選択された直後の開始初期は、前記異臭軽減モードのみ実行し、その後は前記異臭軽減モードとともに前記暖房モードも行い、その後、前記異臭軽減モードを終了させて前記暖房モードのみを行うように構成されていることを特徴とする請求項２又は３記載の室内用暖房除湿装置。
【請求項７】
前記異臭軽減モードは、前記回転除湿ロータを回転させながら、前記再生ヒータ及び前記再生ファンを動作させることで回転除湿ロータの異臭物質を加熱するクリーニングモードであるとともに、前記制御手段は、前記循環風路に占める加熱除去された前記回転除湿ロータの領域が、前記循環風路の全量より小さい所定量となった時点で前記暖房モードを実行するように構成されていることを特徴とする請求項６記載の室内用暖房除湿装置。
【請求項８】
前記制御手段は、前記運転モードとして、前記循環ファン、再生ヒータ及び再生ファンを動作させるとともに、前記回転除湿ロータを回転させる除湿モードを備え、前記回転除湿ロータの回転速度を前記除湿モードに対し低下もしくは回転を一時的に停止させた状態で、集中的に第１領域を前記再生ヒータで加熱除去し、該第１領域をクリーニング後、該第１領域の略全量が前記循環風路内に入るように前記回転除湿ロータを回転させた後に前記暖房モードを実行するように構成されていることを特徴とする請求項７記載の室内用暖房除湿装置。
【請求項９】
前記制御手段は、前記運転モードとして、前記循環ファン、再生ヒータ及び再生ファンを動作させるとともに、前記回転除湿ロータを回転させる除湿モードを備え、前記回転除湿ロータの回転速度を前記除湿モードに対し上昇させた状態で前記回転除湿ロータを前記再生ヒータで加熱し、所定量クリーニングした時点で前記暖房モードを実行するように構成されていることを特徴とする請求項６記載の室内用暖房除湿装置。
【発明の詳細な説明】
【技術分野】
【０００１】
本発明は、室内の暖房及び除湿を行う室内用暖房除湿装置に関し、詳細には、空気中の水分を吸着する複数の風路からなる回転除湿ロータを備えた室内用暖房除湿装置に関するものである。
【背景技術】
【０００２】
特許文献１には、室内の浴室の天井に設置され、浴室内の除湿を行う浴室乾燥機が記載されている。本文献の浴室乾燥機は、室内である浴室を暖房する暖房モードの他に、浴室内の空気を循環ファンで循環させながら、浴室内を除湿する除湿モードを備えている。循環ファンで吸引された浴室内の空気は、回転除湿ロータの除湿通路に担持されている吸着剤に水分が吸着され、結果乾燥空気となって浴室内に戻される。回転除湿ロータの除湿通路に担持されている吸着材は、ゼオライトやシリカゲルなどが一般的である。詳細は特許文献２参照。
【０００３】
一方で、回転除湿ロータは回転駆動され、多量の水分を吸着した除湿通路が再生ヒータ（セラミックヒーター）と対応する部分に来ると、再生ファン（換気ファン）によって吸引された空気が、まず高温の再生ヒータを通過することで加熱され、この加熱された空気が回転除湿ロータの除湿通路を通過することで回転除湿ロータが加熱されて高温になる。結果、除湿通路の吸着剤に吸着されていた多量の水分が蒸発し、回転除湿ロータが乾燥した状態に復帰するよう構成されているものである。この動作を連続的に行う運転モードが除湿モードであり、これを数時間続けることで浴室内が徐々に除湿されるものである。
【０００４】
【特許文献１】特開２００４−０９３００８号公報
【特許文献２】特開平５−３０９７７１号公報
【発明の開示】
【発明が解決しようとする課題】
【０００５】
一般的に回転除湿ロータに使用されている上記吸着剤は、空気中の水分のみならず異臭物質をも吸着することが知られている。また、特許文献２にもあるように、吸着剤が異臭物質を吸着している状態で多湿空気が回転除湿ロータの除湿通路を通過すると、吸着剤は異臭物質より水分の方に親和性が高いため、吸着されていた異臭物質が多湿空気中の水分と置換され、結果、異臭物質が室内に放出されてしまうという課題が知られている。
【０００６】
異臭物質が水分と置換されても、少量ずつ放出されるような状態であれば何等問題は無い。しかし、回転除湿ロータに異臭物質が多量に蓄積され、そこで多湿の空気が除湿通路を通過すると、異臭物質が空気中の水分と一気に置換され、結果、使用者が不快に感じるような強い異臭を発生させる。梅雨時などの室内が高湿度となる条件下や、常に多湿の環境である浴室等の環境下にあっては、この問題が顕著なものとなる。
【０００７】
したがって、梅雨時など、室内が高湿度となる状況下で室内空気の循環を開始すると、それまで吸着していた異臭物質が循環空気中に一気に放出され、異臭混じりの空気が室内に吹き出すという問題があった。
【０００８】
この問題は全ての室内において生じうるが、特に浴室は、異臭の要因となるジエチルヘキサナールやデカナール等の有機物質が他室に比べ多量に存在しており、短時間でそれらが回転除湿ロータの除湿通路に蓄積してしまう可能性がある。また、浴室内は高温高湿度となりやすく、異臭物質が高濃度となって放出される条件が揃った環境であると言える。その一方で、カビ等が発生しやすい浴室内では除湿のニーズは極めて高く、この異臭の軽減は多くのユーザから強く望まれている。
【０００９】
ここで、この問題を解決するに当たり、回転除湿ロータに異臭物質が吸着されるのを抑制するために回転除湿ロータの吸着剤の材料を変更したり、吸着剤へ異臭物質が接触する機会を減らすような対策を取ることが考えられる。このようにすれば、短時間で異臭物質が多く吸着されてしまうことを抑制でき、結果、使用時に多く吸着された異臭物質が一気に放出されて強い異臭となって使用者に不快感を与えるという問題を抑制できるようになる。しかし、この対策は、吸着剤に水分も吸着され難い構造にするということにもなるため、この対策だけで異臭を感じないレベルまで抑え込むようにすると、除湿性能を大きく犠牲にする対応となるため決して効果的な対策とは言えない。
【００１０】
本発明は、上記の問題に鑑みてなされたもので除湿性能を大きく犠牲にすることなく、一方で強い異臭が発生するような異臭物質の放出も抑制できる、実用上優れた室内用暖房除湿装置を提供せんとするものである。
【課題を解決するための手段】
【００１１】
請求項１に係る発明は、室内の空気を循環させながら空気中の湿度を除去する室内用暖房除湿装置において、前記室内の空気を吸引する吸引口と、前記吸引口から吸引された空気が通過する際に空気中の水分を吸着する複数の除湿通路からなる回転除湿ロータと、  前記回転除湿ロータより吸引口側となる上流位置で、前記回転除湿ロータの一部の領域において複数の除湿通路と対面するように設けられた再生ヒータと、前記回転除湿ロータより下流で、かつ前記再生ヒータと対応する位置に入口が設けられた再生風路と、前記再生風路内に設けられた再生ファンと、前記吸引口から吸引され、かつ前記回転除湿ロータの前記再生ヒータと対面していない他部の領域の除湿通路を通過した空気を前記浴室内に向けて吹き出させる循環吹出口と、前記回転除湿ロータと前記循環吹出口を連結する循環風路と、循環風路内に設けられた循環ファンと、循環風路内に設けられ、循環風路内の空気を加熱する暖房ヒータと、複数の運転モードの中から特定の運転モードを選択させる運転モード選択手段と、前記運転モード選択手段からの信号を受け、この信号に基づいて前記室内用暖房除湿装置を指定された運転モードで運転させる制御手段と、を備え、前記制御手段は、運転モードとして、前記暖房ヒータと前記循環ファンを動作させて浴室内の空気を加熱循環させる暖房モードと、前記回転除湿ロータから前記循環風路内に放出される異臭を軽減する異臭軽減モードを備え、かつ、前記制御手段は、前記選択手段によって暖房モードが選択された場合に、前記暖房モードの実行に先駆けて、前記異臭軽減モードを実行した後に前記暖房モードを実行するように構成したものである。
【００１２】
暖房モードは、使用者が室内に居る状態で実行されるか、使用者がこれから室内に入るため事前に室内を暖めるかのいずれかで実行されるのが通常である。したがって、暖房モードの実行開始初期に使用者が室内に居る蓋然性は高く、異臭物質が回転除湿ロータに多量に吸着されていた場合は、暖房モードの実行開始時に多湿空気があれば異臭物質が一気に放出されて使用者に不快な異臭を感じさせてしまうという問題がある。特に浴室の場合であれば、浴室に使用者が存在するのは通常入浴中であるため、この場合は無条件に多湿環境になってしまうことから、暖房モードが開始された場合は、その直後に多湿の空気と置換されて高い確率で異臭物質が放出されてしまうという問題がある。
【００１３】
本発明に係る室内用暖房除湿装置によれば、異臭に伴う不快感を感じさせる可能性が極めて高い暖房モードの開始時において、暖房モードの開始に先駆けて予め設定されている異臭軽減モードを実行させるように構成しているため使用者が不快な異臭を感じることを抑制でき、快適に安心して暖房モードを使用することができる。
【００１４】
請求項２に係る発明は、前記回転除湿ロータ下流の前記循環風路から分岐して室外に空気を排出する排気風路を備え、前記異臭軽減モードは、前記回転除湿ロータから放出された異臭物質を、排気風路を介して室外に排出するものである。
【００１５】
これによれば、暖房モードの開始直後、回転除湿ロータに多量に吸着されていた異臭物質が一気に放出されたとしても、異臭物質は室内に放出されることはなく排気風路を介して室外に排出されるため、使用者が不快に感じるような高濃度の異臭の発生を防止できる。なお、異臭物質が最初大量に放出されてしまえば、その後は使用者が不快に感じるような異臭が発生することは無く、使用者は快適に、安心して暖房モードを実行できるものである。
【００１６】
請求項３に係る発明は、前記異臭軽減モードは、前記回転除湿ロータを回転させながら、前記再生ヒータ及び前記再生ファンを動作させることで回転除湿ロータの異臭物質を強制的に加熱除去するクリーニングモードである。
【００１７】
これによれば、異臭物質が多量に回転除湿ロータに吸着されていたとしても、暖房モードの開始に先駆けて、回転除湿ロータを回転させながら前記再生ヒータ及び前記再生ファンを動作させることで、異臭物質を強制的に加熱除去するクリーニングを実行するようにしたため、異臭物質を確実に除去し使用者に不快なレベルの異臭を感じさせることを確実に防止できる。
【００１８】
請求項４に係る発明は、前記異臭軽減モードは、前記循環ファンの回転速度を所定時間低下させて暖房モードを実行するものである。
【００１９】
これによれば、暖房モードの開始時に循環ファンによって多湿の空気を大量に吸引することがなくなるため、大量の異臭物質と大量の水分が一気に置換されてしまうという状態を回避できる。したがって、大量の異臭物質による不快なレベルの異臭の発生を防止できる。
【００２０】
請求項５に係る発明は、前記異臭軽減モードの実行時は、前記循環ファンの回転を低下させた暖房モードを実行するものである。
【００２１】
これにより、使用者が暖房モードの実行を要求している状況において、暖房能力は低くても室内に温風を吹き出す状況は作ることができるため、使用者の違和感を軽減できる。また、暖房効果も少ないレベルではあるが得ることができる。さらに、請求項４同様に暖房モードの開始時に循環ファンによって多湿の空気を大量に吸引することがなくなるため、大量の異臭物質と大量の水分が一気に置換されてしまうという状態を回避でき、よって大量の異臭物質による不快レベルの異臭が発生してしまうという状態を防止できる。これに加え、換気やクリーニングモードの実行によって確実に異臭の放出を防止できる為、異臭物質が大量に室内に放出されてしまうという状態を確実に防止できるものである。
【００２２】
請求項６に係る発明は、前記制御手段は、前記選択手段によって前記暖房モードが選択された直後の開始初期は、前記異臭軽減モードのみ実行し、その後は前記異臭軽減モードとともに前記暖房モードも行い、その後、前記異臭軽減モードを終了させて前記暖房モードのみを行うように構成されている。
【００２３】
これにより、異臭による不快感を抑制しながら、室内の暖房を行いたいという使用者のニーズを高いレベルで満足させることができるものである。すなわち、暖房モードの選択時は、使用者にしてみれば室内が寒く、少しでも早く室内を暖めたいと思っている状況にある。したがって、暖房モードが早く開始されないことは使用者にとって大きな不満になるが、一方で、即座に暖房モードを開始すると、回転除湿ロータに異臭物質が多く吸着されていた場合、高濃度の異臭が発生する可能性が高いため、安易に早く暖房を開始すると異臭に伴う不快感を回避できなくなる。
【００２４】
本発明は、この相反する要求を高いレベルで満足させるための工夫がなされたものであり、選択手段によって暖房モードが選択された直後の開始初期は、回転除湿ロータに異臭物質が多量に吸着されている可能性が高いので、一気に室内に異臭物質が放出されないよう、異臭軽減モードのみを実行するようにして異臭の発生を軽減している。その後は、初期に異臭軽減を行っているため使用者に異臭の面で大きな違和感を与えることは軽減できることから、使用者の要求に合わせて暖房モードを開始し、その後は、異臭軽減モードを異臭発生が略回避できる所まで運転させて終了し、暖房モードのみを行うようにしたものである。これによって、上記の相反する要求を満足させることができるようになったものである。
【００２５】
請求項７に係る発明は、前記異臭軽減モードは、前記回転除湿ロータを回転させながら、前記再生ヒータ及び前記再生ファンを動作させることで回転除湿ロータの異臭物質を加熱するクリーニングモードであるとともに、前記制御手段は、前記循環風路に占める加熱除去された前記回転除湿ロータの領域が前記循環風路の全量より小さい所定量となった時点で前記暖房モードを実行するように構成されている。
【００２６】
これにより、回転除湿ロータの加熱によるクリーニングが完了した領域が、循環風路の全体の中で予め設定された循環風路の全量より少ない所定の大きさ完了した時点で、早期に暖房モードを開始するようにしたため、暖房モードを早く開始させることができ、結果、使用者の室内を暖めたいというニーズを早期に満足させることができる。
【００２７】
一方、異臭についても、暖房モードの選択時直後は、循環風路に占める回転除湿ロータの領域は全く加熱クリーニングされておらず全量に異臭物質が吸着されており、この状態で暖房モードを開始すると使用者は強い異臭を感じる可能性が高い。しかし、本発明においては、循環風路に占める回転除湿ロータの加熱クリーニングされた領域が、循環風路の全量より小さい所定量になれば放出される異臭物質の量も少なくなるため、結果、使用者が不快感を感じないようにできる。
【００２８】
請求項８に係る発明は、前記制御手段は、前記運転モードとして、前記循環ファン、再生ヒータ及び再生ファンを動作させるとともに、前記回転除湿ロータを回転させる除湿モードを備え、前記回転除湿ロータの回転速度を前記除湿モードに対し低下もしくは回転を一時的に停止させた状態で、集中的に第１領域を前記再生ヒータで加熱除去し、該第１領域をクリーニング後、該第１領域の略全量が前記循環風路内に入るように前記回転除湿ロータを回転させた後に前記暖房モードを実行するように構成されている。
【００２９】
これによっても、暖房モードを迅速に開始させることができ、使用者のニーズを満足させることができる一方で、異臭についても使用者が不快感を感じないようにできるものである。
【００３０】
具体的には、回転除湿ロータを除湿モードより低回転で回転させながらゆっくり加熱クリーニングを行う形式では、異臭を感じないレベルまで領域をクリーニングするには時間がかかってしまうが、本発明によれば、集中的に所定の第１領域を加熱クリーニングし、クリーニングが終了したこの第１領域を一気に回転させて循環風路内に位置させることで、異臭を感じないレベルの領域（第１領域）を早く確保でき、よって早く暖房を開始できるという実用上優れた効果を奏することができる。
.  
【００３１】
請求項９に係る発明は、前記制御手段は、前記運転モードとして、前記循環ファン、再生ヒータ及び再生ファンを動作させるとともに、前記回転除湿ロータを回転させる除湿モードを備え、前記回転除湿ロータの回転速度を前記除湿モードに対し上昇させた状態で前記回転除湿ロータを前記再生ヒータで加熱し、所定量クリーニングした時点で前記暖房モードを実行するように構成されている
【００３２】
これによっても、暖房モードを早く開始させることができ、使用者のニーズを満足させることができる一方で、異臭についても使用者が不快感を感じないようにできるものである。
【００３３】
具体的には、請求項８の構成は、回転除湿ロータの平面的なエリアで一部を集中的に加熱クリーニングして早く暖房を開始させる構成であったのに対して、本発明は、回転除湿ロータの厚さ方向で必要量の加熱クリーニング領域を確保し、一気に放出されてしまう異臭物質の量を減らすものである。すなわち、回転除湿ロータの厚さ方向全てを加熱クリーニングするためには回転除湿ロータの回転送りを小さくして、加熱空気と回転除湿ロータの熱交換時間を十分に確保する必要があるため、異臭を感じないレベルまでクリーニングされた領域を確保するには非常に多くの時間が必要となる。
【００３４】
本発明では、反対に送り速度を早くすることで暖房開始時間を早めることができるようにしたものである。当然に送り速度を速めると前記熱交換時間が少なくなるため厚さ方向全てをクリーニングすることができなくなるが、循環風路内に位置する加熱クリーニングされた領域は半分以上等（送り速度によって異なる）にできるため、異臭を感じないレベルのクリーニング領域を確保することが早くできる。結果、早く暖房を開始できるものである。なお、暖房モードの開始後に全領域を綺麗にクリーニングするようにすれば良いことは言うまでも無い。
【発明を実施するための最良の形態】
【００３５】
以下、図面を参照して、本発明に係る室内用暖房除湿装置の詳細を説明する。ここでは、室内の一つである浴室に設けられる除湿機能付き浴室暖房機（以下、「浴室暖房機」と略記する）を用いて説明する。なお、ここでは浴室暖房機を用いて説明するが、これに限定されるものではなく居間や洗面所、トイレ、などの室内に用いられる室内用暖房除湿装置でも良いことも言うまでも無い。
【００３６】
まず、図１〜図１３を参照して、その浴室暖房機の概要を説明する。
【００３７】
図１は、本発明の一実施形態に係る浴室暖房機の使用形態の一例を示す。
【００３８】
本実施形態に係る浴室暖房機１は、浴室４００の天井裏に設置される。この浴室暖房機１は、浴室４００内の乾燥、暖房或いは除湿など、様々なことを行うことができる。
【００３９】
図２は、浴室暖房機１の下方からの斜視図である。以下の説明では、浴室側を「下」と言い、その反対側を「上」と言うことがある。
【００４０】
浴室暖房機１には、ケース５０３に収納される暖房機本体５０１があり、暖房機本体５０１には、暖房機本体５０１の下面の少なくとも一部（例えば図示のように実質的に全域）を覆うカバーが取り付けられる。例えば、暖房機本体５０１の下面に、内部グリル９１１が取り付けられ、その内部グリル９１１の下面に、カバーとして表面グリル５０９が取り付けられる。ケース５０３は、直方体状の箱となっているが、形状はそれに限らず種々の形状を採用し得る。
【００４１】
暖房機本体５０１の一側面には、浴室内から吸われた空気を浴室暖房機１の外に排出するための図示しない排気口があり、ケース５０３には、その排気口から排出される空気が流れる図示しない排気ダクトが取り付けられる。
【００４２】
暖房機本体５０１の下面には、浴室内への空気の吹出口５０７と、その吹出口５０７からの風の向きを調節する可動ルーバー５０５とが備えられる。空気の暖房機本体５０１の下面全域を覆う表面グリル５０９には、可動ルーバー５０５を目視でき可動ルーバー５０５の開閉動作の妨げとならないようなサイズの窓５０８が設けられている。
【００４３】
暖房機本体５０１の下面と表面グリル５０９との間には、或る程度の隙間があり、その隙間が、浴室暖房機１にとっての吸込口５１１となっている。換言すれば、浴室暖房機１の側面全て或いは一部に、吸込口５１１が設けられ、いわゆる側面吸気が行われるようになっている。吸込口５１１から吸い込まれた空気は、暖房機本体５０１の下面から暖房機本体５０１の内部に入る。
【００４４】
内部グリル９１１の側面には、フィルタ挿入口５１３が形成されている。そこから、フィルタ枠５１５に固定されたフィルタ５１７を差し込むことができる。フィルタ５１７は、吸込口５１１から吸い込まれた空気に含まれている塵やほこりが、暖房機本体５０１の内部に侵入しないようにするためのものである。
【００４５】
図３は、浴室暖房機１の暖房機本体５０１の下方からの斜視図である。すなわち、この図３は、図２に示した浴室暖房機１から内部グリル９１１、表面グリル５０９及びケース５０３を除去した場合の外観図である。
【００４６】
暖房機本体５０１からの空気の吹出口である本体吹出口９９０に、可動ルーバー５０５があり、可動ルーバー５０５の近傍に、可動ルーバー５０５を駆動するモータ（以下、ルーバー用モータ）５３３が備えられる。
【００４７】
暖房機本体５０１の下面全周には、フランジ５３９が設けられている。そのフランジ５３９に、内部グリル９１１が取り付けられる。
【００４８】
暖房機本体５０１の内部には、図示しない後述の回転除湿ロータが搭載され、その回転除湿ロータの下側に対向した場所に、回転除湿ロータケース５２３が取り付けられる。回転除湿ロータケース５２３の回転除湿ロータに対向するエリアには、空気の通過の妨げにならないような格子（以下、回転除湿ロータケース格子）５２７が張られている。また、暖房機本体５０１の内部には、図示しない後述の再生ヒータが搭載され、暖房機本体５０１の下面において、再生ヒータに対向するエリアには、エキスパンドメタル５３１が取り付けられる。
【００４９】
本実施形態では、暖房機本体５０１の下面に、空気の吸込口（以下、浴室暖房機１の側面の吸込口５１１と混同しないようにするため、「本体吸込口」という言葉を用いる）５４０が設けられ、上記側面吸気された空気が本体吸込口５４０を介して暖房機本体５０１に吸い込まれる。本体吸込口５４０は、例えば、図３に例示するように、後述の循環ファンが回転することによって吸い込まれる空気の吸込口（以下、循環ファン吸込口）５４０Ａと、後述の再生ファンが回転することによって吸い込まれる空気の吸込口（以下、再生ファン吸込口）５４０Ｂとに仕切ることができる（仕切ることなく一つの共通の吸込口とされてもよい）。
【００５０】
図４は、図３の暖房機本体５０１の上方からの斜視図である。
【００５１】
フランジ５３９を有しｑの字状の収納スペースを有するケース（以下、「内部ケース」と言う）５０４に、浴室暖房機１の種々の構成要素（例えば、後述する循環ファンや、その循環ファンを駆動するためのモータ（以下、循環ファン用モータ）５４１など）が備えられる。この内部ケース５０４では、循環ファンから吹出された空気が、排気風路１００を経て、排気口５２１から図示しない排気ダクトへ排出される。
【００５２】
内部ケース５０４におけるｑの字状の収納スペース以外の空いたスペースに、図示しない後述の再生ファンを駆動するためのモータ（以下、再生ファン用モータ）５３５と、浴室暖房機１の種々の構成要素を制御するための制御装置５１９とが備えられる。
【００５３】
図５Ａは、浴室暖房機１の底面図である。図５Ｂは、浴室暖房機１の上面図である。図６は、図５Ａの６−６断面図である。図７は、図５Ｂの７−７断面図である。以下の説明では、便宜上、排気口５２１が存在する側を「左」と言い、それと逆の側を「右」と言い、図６の紙面表側（排気口がある面を正面とした場合の左側）を「前」と言い、図６の紙面裏側を「後」と言う。これは、図５Ａ及び図６を参照した説明に限らず、他の図を参照する場合（例えば、図７のように、図６の浴室暖房機１とは左右逆にして示されている場合）にも同様である。
【００５４】
内部グリル９１１に、表面グリル５０９を係止するための溝（以下、係止溝）６０９がある。表面グリル５０９の上面に設けられた爪（グリル係止爪）６０７が係止溝６０９に引っ掛かることにより、表面グリル５０９が内部グリル９１１に係止される。
【００５５】
浴室暖房機１内の右側の部分に、回転除湿ロータ１０、回転除湿ロータ用モータ６０、再生ヒータ４０、循環ファン２０及び循環ファン用モータ５４１が備えられる。一方、浴室暖房機１内の左側の部分に、可動ルーバー５０５、吹出口５０７、暖房ヒータ３０、ダンパ７０、ダンパ用モータ６１１、再生ファン５０及び再生ファン用モータ５３５が備えられる。暖房機本体５０１内には、循環ファン２０へ連通し後述の循環風路９００へと続く風路と、後述の再生風路２００とが形成されている。これにより、循環ファン２０及び再生ファン５０のうち循環ファン２０のみを回転させた場合には、浴室暖房機１の側面にある吸込口５１１から循環ファン吸込口５４０Ａを経て回転除湿ロータ１０を介して上方へと空気が吸引される。循環ファン２０及び再生ファン５０の両方を回転させた場合には、浴室暖房機１の側面にある吸込口５１１から吸い込まれた空気の一部が循環ファン吸込口５４０Ａを経て回転除湿ロータ１０を介して上方へと吸引され、残りの一部が再生ファン吸込口５４０Ｂを経て回転除湿ロータ１０を介して再生風路２００へと吸引される。以下、これらの点や各構成要素について詳細に説明する。
【００５６】
回転除湿ロータ１０は、円盤状の回転除湿ロータ部材であり、上下方向に空気が通過できるような風路を有している（例えば上下方向に貫けた多数の孔がある）。具体的には、例えば、回転除湿ロータ１０は、水分を吸着するための吸着剤（例えば、ゼオライト及び／又はシリカゲル）が担持された、セラミックス製のペーパであり、いわゆるハニカム構造になっている。つまり、回転除湿ロータ１０の上下方向の空気が通過する風路は、細かく区切られた複数の風路の集合となっていて、各風路で水分の吸着が行われる。回転除湿ロータ１０の直径は、例えば１５０乃至３００ミリメータ程度であり、その厚みは１５乃至５０ミリメータ程度である。回転除湿ロータ１０は、暖房機本体５０１の下面にある本体吸込口５４０の付近に設けられ、本体吸込口５４０から入った空気の全部或いは大部分が通るようなサイズに構成されている。
【００５７】
回転除湿ロータ用モータ６０は、回転除湿ロータ１０の中心を回転軸として回転除湿ロータ１０を回転させるモータである。回転除湿ロータ用モータ６０は、回転除湿ロータ１０と循環ファン２０との間の空間内の所定の場所（例えば、回転除湿ロータ１０の上面付近）に搭載される。
【００５８】
再生ヒータ４０は、回転除湿ロータ１０の上流側、例えば、回転除湿ロータ１０の下面の或る部分の真下に搭載される。再生ヒータ４０の水平方向のサイズは、回転除湿ロータ１０の水平方向のサイズよりも小さい（例えば回転除湿ロータ１０の水平方向サイズの４分の１以下である）。再生ヒータ４０の発熱により、回転除湿ロータ１０が、吸着した水分を放出し、それにより、回転除湿ロータ１０の除湿能力が再生する。具体的には、回転除湿ロータ１０を回転させつつ再生ヒータ４０が発熱すれば、再生ヒータ４０により加熱された空気が回転除湿ロータ１０を通ることにより、回転除湿ロータ１０の各部で吸着した水分が放出されるので、水分を吸着したことによって低下した回転除湿ロータ１０の除湿能力を再生することができる（その際、再生ファン５０を回転させることにより、回転除湿ロータ１０から放出された水分を浴室外へ排出することができる）。また、再生ヒータ４０が発熱することにより、回転除湿ロータ１０に吸着した異物（例えば水分中に溶けた入浴剤や洗髪剤等の有機成分や、入浴剤や洗髪剤等が気化した異臭物質）を放出させることもでき、それにより、回転除湿ロータ１０の除湿性能の低下を解消することもできる。
【００５９】
循環ファン２０の上に循環ファン用モータ５４１が取り付けられている。循環ファン２０は、例えば遠心型のファンであり、循環ファン用モータ５４１の駆動により回転する。この循環ファン２０が回転することにより、浴室暖房機１の側面にある吸込口５１１から浴室内の空気が吸われ、その吸われた空気が、循環ファン吸込口５４０Ａから回転除湿ロータ１０を介して上方へと流れる。上方へと流れたその空気は、ダンパ７０の開閉状態に応じて、排気風路１００と循環風路９００の下流部９００Ｂとのうちの少なくとも一方に流れる。なお、回転除湿ロータ１０よりも上流の空気の温度を検出するための温度センサ５５１Ａと、その空気の相対湿度を検出するための湿度センサ５５３が、回転除湿ロータ１０と本体吸込口５４０との間の空間における所定の場所に備えられる。具体的には、例えば、各センサ５５１Ａ、５５３は、再生ヒータ４０の高さ位置と同程度の位置に備えられる。
【００６０】
循環ファン２０により回転除湿ロータ１０を介して吸われた空気は、循環ファン２０から左側にかけた空間に流れる。循環ファン２０の左隣には、更に左へと延設され途中から下へと延びた循環風路９００が設けられている。循環風路９００は、左へと延設された部分（換言すれば、循環ファン２０の左隣の空間）である上流部（以下、循環風路上流部）９００Ａと、上流部９００Ａから下へと延びた下流部（以下、循環風路下流部）９００Ｂとで構成することができる。循環風路上流部９００Ａは、循環風路下流部９００Ｂと、左方向の排気口５２１へと延びた排気風路１００とに分岐している。排気風路１００を流れる空気は、排気口５２１及び排気ダクト５５５を介し浴室外に排出される。一方、循環風路下流部９００Ｂを流れる空気は、吹出口５０７から浴室内に排出される。循環ファン２０の左に流れた空気が排気風路１００と循環風路下流部９００Ｂとのどちら又は両方に流れるかは、循環風路上流部９００Ａ（循環ファン２０の左隣空間）に設けられたダンパ７０の開閉状態によって決まる。ダンパ７０の開閉状態は、ダンパ用モータ６１１の駆動を制御することにより、調節することができる。これらの点については、図１０以降を参照して詳細に説明する。
【００６１】
循環風路９００の下流側（例えば吹出口５０７の付近）に、暖房ヒータ３０が備えられる。暖房ヒータ３０が発熱することにより、暖房ヒータ３０を通る空気が暖められ、暖められた空気が、吹出口５０７から浴室内へと出される。なお、暖められた空気の温度を検出するための温度センサ５５１Ｂが所定の場所に備えられる。具体的には、例えば、温度センサ５５１Ｂは、暖房ヒータ３０の下流側、より具体的には、例えば、暖房ヒータ３０と可動ルーバー５０５との間に備えられる。暖房ヒータ３０や再生ヒータ４０としては、種々のヒータを採用し得るが、例えば、ＰＴＣ（Positive Temperature Coefficient：正温度係数）ヒータを用いることができる。ＰＴＣヒータは、抵抗体の電気抵抗値が、温度上昇と共に増加するために、自己温度制御性を有する。
【００６２】
排気風路１００の途中（例えば排気口５２１の近傍）に、再生風路２００の出口５６３が備えられる。再生風路２００は、回転除湿ロータ１０の下流側の或る位置（例えば、回転除湿ロータ１０を介して再生ヒータ４０に対向した位置）から左へと延び、或る途中位置（例えば暖房機本体５０１の左面付近）から上へと延び、再生ファン５０の有る位置から前と延びて排気風路１００の途中に繋がる。再生風路２００を流れる空気は、排気風路１００に出て、排気口５２１及び排気ダクト５５５を介し浴室外に排出される。なお、再生風路２００の途中には、下流へと進んだ多湿の空気が浴室内へと逆流しないようにするための逆流防止弁６１３が設けられている。
【００６３】
再生ファン５０の上に再生ファン用モータ５３５が取り付けられている。再生ファン５０は、例えば遠心型のファンであり、再生ファン用モータ５３５の駆動により回転する。この再生ファン５０が回転することにより、浴室暖房機１の側面にある吸込口５１１から浴室内の空気が吸われ、その吸われた空気が、再生ファン吸込口５４０Ｂから再生ヒータ４０を通り回転除湿ロータ１０を介して上方へと流れる。上方へと流れたその空気は、再生風路２００へと流れる。
【００６４】
以上が、浴室暖房機１の構成の概要である。なお、浴室暖房機１には、浴室とは別の部屋からの空気が流れるダクト（以下、便宜上「他室用吸気ダクト」と言う）５５７が接続され、他室用吸気ダクト５５７を介して別部屋の空気を暖房機本体５０１内に吸気しても良い。吸気された空気が、所定の場所、例えば、回転除湿ロータ１０の下流側に出るように構成することができる。この場合、循環ファン２０によって吸われた空気と同様に、排気口５１２から排気するか、或いは、浴室内に出すかを制御することができる。別部屋の空気を吸気するか否かは、例えば、他室用吸気ダンパ６０１の開閉状態（例えば開くか閉じるか）によって、制御することができる。この制御は、例えば、制御装置５１９が行うことができる。
【００６５】
図８は、浴室暖房機１の制御系を示すブロック図である。
【００６６】
制御装置５１９は、例えば、ＣＰＵ６２５やメモリ６２１を備えている。ＣＰＵ６２５は、例えば、操作パネル７００、温度センサ５５１Ａ、５５１Ｂ及び湿度センサ５５３のうちの少なくとも一つから信号を受けた場合、その信号を基に、循環ファン用モータ５４１、再生ファン用モータ５３５、回転除湿ロータ用モータ６０、ダンパ用モータ６１１、暖房ヒータ３０、再生ヒータ４０及びルーバー用モータ６２３のうちの少なくとも一つを必要に応じて制御することができる。換言すれば、例えば、ＣＰＵ６２５は、循環ファン２０の回転、再生ファン５０の回転除湿ロータ１０の回転、ダンパ７０の開閉の度合い、暖房ヒータ３０による発熱、再生ヒータ４０による発熱、及び可動ルーバー５０５を制御することができる。
【００６７】
図９は、操作パネル７００の一例を示す。
【００６８】
操作パネル７００は、浴室暖房機１のユーザインタフェース（例えばリモートコントローラ）である。操作パネル７００には、浴室暖房機１が実行できる複数の運転モードにそれぞれ対応した複数の運転モードスイッチが備えられている。具体的には、例えば、「換気」、「衣類乾燥」、「浴室除湿」、「暖房」、「涼風」、「２４時間換気」及び「カビ対策」などの運転モードにそれぞれ対応した運転モードスイッチが搭載されている。ユーザは、浴室暖房機１に実行してもらいたい運転モードに対応した運転モードスイッチを操作することにより、所望の運転モードを浴室暖房機１に実行させることができる。
【００６９】
制御装置５１９は、操作パネル７００の或る運転モードスイッチの投入信号を受けた場合、温度センサ５５１Ａ、５５１Ｂ及び湿度センサ５５３のうちの少なくとも一つの検出結果（例えば相対湿度）から、循環ファン２０、暖房ヒータ３０、再生ヒータ４０、再生ファン５０、回転除湿ロータ用モータ６０及びダンパ７０のうちの少なくとも一つを制御し、それにより、投入されたスイッチに対応する運転モードを実行する。
【００７０】
ここで、本実施形態に係る浴室暖房機の運転モードには、大きく分けて「換気」モードと「乾燥制御」モードとがある。「換気」モードは、浴室内の空気を外部へ排気することを目的とするモードである。「乾燥制御」モードは、空気を循環させて、浴室内を乾燥させることを目的とするモードであり、複数の動作モードが含まれる。例えば、本実施形態では、以下に説明する「除湿」モード、「衣類乾燥」モード、「涼風」モード、「暖房」モード及び「カビ対策」モードが「乾燥制御」モードに含まれる。
【００７１】
以下、図１０〜図１３を参照して、各運転モードにおける空気の流れを説明する。
【００７２】
図１０は、「除湿」モードの場合のダンパの状態や空気の流れを示す。なお、図１０は、空気の流れやダンパの状態を説明するための模試的な図であるため、排気風路１００を通った空気と再生風路２００を通った空気が別々の排気口から排出されるように見えるが、本実施形態では、排気口５１２は前述したように一つである。これは、他の図１１〜１３についても同様である。
【００７３】
制御装置５１９は、「除湿」モードの場合、図１０に示すように、回転除湿ロータ１０を或る回転速度（例えば、毎分０．５回転程度）で回転させる。また、制御装置５１９は、循環ファン２０及び回転除湿ロータ１０を回転させ、ダンパ７０を全閉状態（排気風路１００の入口を完全に遮断し、循環ファン２０の左側の空間に出た空気の全てが循環風路下流部９００Ｂに流れる状態）にし、暖房ヒータ３０の電源をオフ状態とする。また、制御装置５１９は、再生ファン５０を回転させ、再生ヒータ４０の電源をオン状態とする。これにより、矢印Ａ、Ｂ、Ｃ及びＤに示すように、浴室内の空気が除湿されつつ循環し、また、矢印Ｆ、Ｇ及びＨに示すように、多湿の空気が再生風路２００から排気ダクトを介して浴室外に排出される。つまり、「除湿」モードによれば、浴室から多湿の空気を吸引し、回転除湿ロータ１０で水分を吸着することにより湿気の少なくなった空気を浴室に吹出すようになっており、その間、水分を吸着することにより低下した回転除湿ロータ１０の除湿能力が再生ヒータ４０により再生されるので、浴室内を除湿することができる。
【００７４】
なお、例えば、暖房ヒータ３０や再生ヒータ４０に、発熱量を調節できる機能が搭載されているような場合には、電源オン状態の代わりに所定量以上の発熱、電源オフ状態の代わりに所定量以下の発熱という制御が行われても良い。
【００７５】
図１１は、「衣類乾燥」モード及び「涼風」モードの場合のダンパの状態や空気の流れを示す。
【００７６】
制御装置５１９は、「衣類乾燥」モードの場合、図１１に示すように、循環ファン２０を回転させるが、回転除湿ロータ１０及び再生ファン５０を回転させない。また、制御装置５１９は、暖房ヒータ３０の電源をオン状態とするが、再生ヒータ４０の電源はオフ状態とする。さらに、制御装置５１９は、ダンパ７０を半開状態（排気風路１００の入口と循環風路下流部９００Ｂ入口との両方を完全には遮断せず、循環風路上流部９００Ａに出た空気の一部が排気風路１００に流れ残りの一部が循環風路下流部９００Ｂに流れる状態）にする。これにより、「衣類乾燥」モードによれば、矢印Ａ、Ｂ、Ｃ及びＥに示すように、循環ファン２０に吸われた空気の一部が排気風路１００から排気ダクトを介して浴室外に排出され、矢印Ａ、Ｂ、Ｃ及びＤに示すように、浴室内の空気を加熱しながら循環させることで、浴室内に干された衣類の乾燥を促進させることができる（しかし、「除湿」モードと違って、回転除湿ロータ１０及び再生ファン５０は回転せず再生ヒータ４０の発熱が行われないので、回転除湿ロータ１０の再生は行われない）。
【００７７】
なお、「涼風」モードの場合は、暖房ヒータ３０の電源もオフ状態とされる点が「衣類乾燥」モードの場合と異なるが、他は同じである。
【００７８】
図１２は、「暖房」モードの場合のダンパの状態や空気の流れを示す。
【００７９】
制御装置５１９は、「暖房」モードの場合、図１２に示すように、循環ファン２０を回転させるが、回転除湿ロータ１０及び再生ファン５０を回転させない。また、制御装置５１９は、暖房ヒータ３０の電源をオン状態とするが、再生ヒータ４０の電源はオフ状態とする。さらに、制御装置５１９は、ダンパ７０を全閉状態にする。これにより、「暖房」モードでは、矢印Ａ、Ｂ、Ｃ及びＤに示すように、浴室内の空気が暖められつつ循環する（「暖房」モードでも、回転除湿ロータ１０及び再生ファン５０は回転せず再生ヒータ４０の発熱が行われないので、回転除湿ロータ１０の再生は行われない）。
【００８０】
図１３は、「換気」モードの場合のダンパの状態や空気の流れを示す。
【００８１】
制御装置５１９は、「換気」モードの場合、図１３に示すように、循環ファン２０を回転させるが、回転除湿ロータ１０及び再生ファン５０を回転させない。また、制御装置５１９は、暖房ヒータ３０の電源も再生ヒータ４０の電源もオフ状態とする。さらに、制御装置５１９は、ダンパ７０を全開状態（循環風路下流部９００Ｂの入口を完全に遮断し、循環風路上流部９００Ａに出た空気の全てが排気風路１００に流れる状態）とする。これにより、「換気モード」では、矢印Ａ、Ｂ、Ｃ及びＥに示すように、浴室内の空気が排気風路１００から排気ダクトを経て浴室外に排出される（「換気」モードでも、回転除湿ロータ１０及び再生ファン５０は回転せず再生ヒータ４０の発熱が行われないので、回転除湿ロータ１０の再生は行われない）。なお、「換気」モードでは、循環ファン２０の回転に代えて又は加えて、再生ファン５０を回転させてもよい。
【００８２】
上述するように、本実施形態に係る浴室暖房機は、「除湿」モード以外のモードで運転を行った場合でも、循環ファン２０が回転することで、浴室内の空気が回転除湿ロータ１０を通過して循環風路９００へと吸い込まれる。従って、「除湿」モード以外のモードで運転を行うと、回転除湿ロータ１０には空気中の水分だけでなく、水分中に溶けた入浴剤や洗髪剤等の有機成分や、入浴剤や洗髪剤等が気化した異臭物質が吸着する。これを放置すると、回転除湿ロータ１０の除湿性能が低下したり、カビが発生したりする原因となる。そこで、本実施形態に係る浴室暖房機は、回転除湿ロータ１０のクリーニングを行うクリーニングモードを備えている。以下、クリーニングモードを実行するか否かの判定などを行うクリーニング判定制御について説明する。
【００８３】
本実施形態に係る浴室暖房機のクリーニング判定制御には、５つの態様がある。各クリーニング判定制御は、いずれも、本実施形態に係る浴室暖房機の電源がオンされている間、適当なタイミングで実行される。第１〜第５のクリーニング判定制御について、図１４〜図２０を用いて説明する。
【００８４】
図１４は、制御装置５１９による第１のクリーニング判定制御の処理手順を示す。第１のクリーニング判定制御では、強制的にクリーニングモードを実行する。
【００８５】
本実施形態に係る浴室暖房機は、強制クリーニングを実行したか否かを示すフラグＦを有し、制御装置５１９が、強制クリーニング実行前はフラグＦを０、強制クリーニング実行後はフラグＦを１とする。
【００８６】
まず、このクリーニング判定制御が開始されると、制御装置５１９は、浴室暖房機の電源投入時であるか否かを判定する（Ｓ１０１）。そして、電源投入時であれば（Ｓ１０１：Ｙｅｓ）、フラグＦに０をセットし（Ｓ１０２）、電源投入時でなければ（Ｓ１０１：Ｎｏ）、フラグＦに１がセットされているか否かを判定する（Ｓ１０３）。そして、フラグＦが１であれば（Ｓ１０３：Ｙｅｓ）、処理を終了する。
【００８７】
つぎに、フラグＦが０であるか、あるいはフラグＦに０がセットされた後、制御装置５１９は、現在「除湿」モードで動作中であるか否かを判定する（Ｓ１０４）。そして、「除湿」モードで動作中であれば、このクリーニング判定制御を終了する（Ｓ１０４：Ｙｅｓ）。つまり、クリーニングモードは、「除湿」モードとは異なる時間帯に実行され、同時に実行されることはない。
【００８８】
「除湿」モードで動作中でなければ、制御装置５１９は、他の動作モードを動作させるためのタイマがセットされているか否かを判定する（Ｓ１０５）。タイマが設定されている場合は、タイマにより他の動作モードが起動される時刻になっているか否かを判定する（Ｓ１０６）。タイマ起動時刻になっていないときは、このクリーニング判定制御を終了する（Ｓ１０６：Ｎｏ）。
【００８９】
一方、タイマが設定されていない場合は（Ｓ１０５：Ｎｏ）、制御装置５１９は、浴室内の湿度が所定値以下であるか否かを判定する（Ｓ１０７）。そして、湿度が所定値以下でないときは（Ｓ１０７：Ｎｏ）、電源投入から所定時間が経過したか否かを判定する（Ｓ１０８）。電源投入から所定時間が経過していないときは（Ｓ１０８：Ｎｏ）、このクリーニング判定制御を終了する。
【００９０】
この結果、ステップＳ１０６でタイマが設定されているときに、タイマの起動時刻になったとき（Ｓ１０６：Ｙｅｓ）、ステップＳ１０７で湿度が所定湿度以下であるとき（Ｓ１０７：Ｎｏ）、または、ステップＳ１０８で電源投入から所定時間が経過したとき（Ｓ１０８：Ｙｅｓ）のいずれかの条件が満たされた場合に、フラグＦに１をセットして、強制的にクリーニングモードを実行する（Ｓ１０９、Ｓ１１０）。
【００９１】
これにより、他の運転モードで動作しているときは、その動作中にクリーニングモードを実行すると消費電力の節約になる。また、所定の湿度以下のときにクリーニングモードを実行すると、回転除湿ロータ１０に吸着した有機成分等を効率的に放出することができる。さらに、浴室暖房機の電源がオンの状態が所定時間以上になれば、運転時間が短くても回転除湿ロータに有機成分等が吸着することがあるので、そのような場合にも強制クリーニングを行うことができる。
【００９２】
ここで、クリーニングモードの具体的な処理内容を、図１５及び図１６を参照して説明する。
【００９３】
図１５及び図１６は、制御装置５１９が行うクリーニングモードの第１及び第２の処理手順を示すフローチャートである。
【００９４】
図１５を参照すると、制御装置５１９は、まず、再生ヒータ４０の電源をオンする（Ｓ２１１）。このとき、ヒータの強度を最高とする。これは、回転除湿ロータ１０に吸着した有機成分等を完全に放出させるためである。
【００９５】
また、制御装置５１９は、回転除湿ロータ用モータ６０を回転させて、回転除湿ロータ１０を回転させる（Ｓ２１２）。このとき、回転速度は最低速度とする。これは、回転速度が速いと回転除湿ロータ１０を高温とするのに長時間を要するからである。
【００９６】
さらに、このとき、制御装置５１９は、再生ファン５０をオンして、再生風路２００からの排気を行う（Ｓ２１３）。
【００９７】
そして、クリーニングモードを開始してから回転除湿ロータ１０が所定の回転数だけ回転するまで、再生ヒータ４０による加熱、及び再生ファン５０による排気を継続する（Ｓ２１４）。回転除湿ロータ１０が所定の回転数だけ回転したら（Ｓ２１４：Ｙｅｓ）、再生ヒータ４０、回転除湿ロータ１０、及び再生ファン５０をいずれもオフして、クリーニングモードを終了する（Ｓ２１５）。
【００９８】
図１６を参照すると、制御装置５１９は、まず、回転除湿ロータ１０を所定の送り角度だけ回転させる（Ｓ２２１）。この送り角度は、例えば１／４回転くらいでよい。そして、制御装置５１９は、再生ヒータ４０の電源をオンする（Ｓ２２２）。
【００９９】
さらに、このとき、制御装置５１９は、再生ファン５０をオンして、再生風路２００からの排気を行う（Ｓ２２３）。
【０１００】
ここで、図１５の場合と異なり、再生ヒータ４０で加熱しているとき、回転除湿ロータ１０は停止している。そこで、制御装置５１９は、この停止した状態が所定時間経過したかどうかを判定する（Ｓ２２４）。この停止した状態が所定時間経過すると、制御装置５１９は、クリーニングモードを開始してからの回転除湿ロータ１０の回転数が、所定の回転数に達したか否かを判定する（Ｓ２２５）。
【０１０１】
ここで、終了条件となる回転数は、図１６の処理の方が図１５の処理よりも少なくてよい。なぜならば、図１５の処理では、再生ヒータ４０で加熱している間、常時回転除湿ロータ１０を回転させているのに対して、図１６の処理では、回転除湿ロータ１０を所定時間停止させ、集中的に加熱するからである。
【０１０２】
回転除湿ロータ１０が所定回転数に達しない間は（Ｓ２２５：Ｎｏ）、ステップＳ２２１へ戻って処理を繰り返す。所定回転数に達すると（Ｓ２２５：Ｙｅｓ）、再生ヒータ４０、回転除湿ロータ１０、及び再生ファン５０をいずれもオフして、クリーニングモードを終了する（Ｓ２２６）。
【０１０３】
次に、図１７は、制御装置５１９による第２のクリーニング判定制御の処理手順を示す。
【０１０４】
まず、制御装置５１９は、浴室暖房機が除湿モードで運転中であるか否かを判定する（Ｓ１２１）。除湿モードで運転中は、処理を終了する（Ｓ１２１：Ｙｅｓ）。
【０１０５】
除湿モードで運転中でないときは（Ｓ１２１：Ｎｏ）、制御装置５１９は、回転除湿ロータ１０を所定時間ごとに所定角度ずつ回転させる（Ｓ１２２）。この回転角度は、例えば１／２回転、あるいは１／４回転などでよいが、これに限定されない。
【０１０６】
ここで、「除湿」モード以外のモードでは、再生ファン４０を回転させず、循環ファン２０を回転させている。従って、この場合には、主に、回転除湿ロータ１０の循環風路９００の入口に対応する部分を空気が通過し、再生風路２００の入口に対応する部分は空気が通過しない。従って、回転除湿ロータ１０を回転させないで長時間「除湿」モード以外のモードで運転すると、空気が通過する循環風路９００の入口に対応する部分に有機成分等が吸着する一方、空気が通過しない再生風路２００の入口に対応する部分は、ほとんど吸着しない。つまり、回転除湿ロータ１０の汚れ具合に偏りが生じることになる。
【０１０７】
そこで、ステップＳ１２２では、これを防止して、回転除湿ロータ１０への有機成分の吸着度合いが均等になるように、「除湿」モード以外のときに回転除湿ロータ１０を回転させる、異物集中吸着抑制制御を行う。回転除湿ロータの汚れ方が均等になることにより、クリーニングを効率的に行うことができる。
【０１０８】
そして、回転除湿ロータ１０が所定の回転数、例えばここでは２回転したときは（Ｓ１２３：Ｙｅｓ）、クリーニングを実行する（Ｓ１２４）。
【０１０９】
図１８は、制御装置５１９による第３のクリーニング判定制御の処理手順を示す。
【０１１０】
第３のクリーニング判定制御は、第２のクリーニング判定制御と回転除湿ロータ１０の回転させ方が異なるようになっている。すなわち、第２のクリーニング判定制御では、回転除湿ロータ１０を所定時間ごとに所定角度ずつ回転させたが（Ｓ１２２）、第３のクリーニング判定制御では、回転除湿ロータ１０を最も遅い回転速度で連続的に回転させる、異物集中吸着抑制制御を行う（Ｓ１３２）。
【０１１１】
そして、回転除湿ロータ１０の回転数が所定回転数、ここでは５回転になると、（Ｓ１３３：Ｙｅｓ）、クリーニングを実行する（Ｓ１３４）。
【０１１２】
ここで、クリーニングを実行するか否かの判定を行う基準の回転数が、クリーニング判定制御２では２回転であるのに対して、クリーニング判定制御３では５回転と回数を多くしているのは、クリーニング判定制御３では回転除湿ロータ１０を連続回転させているからである。
【０１１３】
なお、クリーニング判定制御２、及びクリーニング判定制御３の場合において、浴室内の湿度が高いほど回転除湿ロータ１０の回転頻度を高くし、または回転速度を速くするようにしてもよい。これは、空気中の水分量が多いほど、回転除湿ロータ１０に有機成分等が吸着しやすくなるからである。
【０１１４】
次に、図１９は、制御装置５１９による第４のクリーニング判定制御の処理手順を示す。
【０１１５】
制御装置５１９は、浴室暖房機がいずれかの運転モードで動作中であるか否かを判定する（Ｓ１４１）。そして、浴室暖房機がいずれの動作モードでも運転中でないときは（Ｓ１４１：Ｎｏ）、予め定められているクリーニング開始の設定時刻であるか否かを判定する（Ｓ１４２）。設定時刻になっていれば（Ｓ１４２：Ｙｅｓ）、クリーニングモードを実行する（Ｓ１４５）。
【０１１６】
これにより、ユーザが設定した時刻にクリーニングを実行することができる。
【０１１７】
一方、浴室暖房機がいずれかの動作モードで運転中の場合（Ｓ１４１：Ｙｅｓ）、その運転モードが「除湿」モードであり、かつ「除湿」モードの運転開始タイミングであれば（Ｓ１４３：Ｙｅｓ）、制御装置５１９は、「換気」モードに設定する。つまり、「除湿」モードの運転を実行する前に、強制的に換気モードに設定した後、クリーニングモードを実行する（Ｓ１４５）。
【０１１８】
これにより、「除湿」モードの運転を実行する前に、まず換気運転を行いつつ、回転除湿ロータ１０のクリーニングを行うことができる。そして、クリーニング終了後は、そのまま「除湿」モードに移行する。こうすることで、「除湿」モードの開示前に、強制的にクリーニングを実行して、回転除湿ロータ１０に吸着した有機成分、カビなどに起因して発生することがある異臭を防止できる。
【０１１９】
次に、図２０は、制御装置５１９による第５のクリーニング判定制御の処理手順を示す。ここで、第３のクリーニング判定制御では、クリーニング要否を示すフラグＧ（フラグＧ＝１の場合、クリーニング要）と、前回のクリーニングモードを終了したときからの経過時間をカウントするカウンタＴｘとを用いる。カウンタＴｘは、浴室暖房機の電源がオンされている累積時間（Ｔｘ１）、電源がオフされている累積時間（Ｔｘ２）、「除湿」モード以外のモードで運転された累積時間（Ｔｘ３）、及び再生ヒータ４０の連続通電時間（Ｔｘ４）を計測できる。
【０１２０】
まず、制御装置５１９は、フラグＧが１であるか否かを判定する（Ｓ１５１）。
【０１２１】
フラグＧが１でないときは（Ｓ１５１：Ｎｏ）、電源が投入されている時間の累積カウンタＴｘ１が、所定時間Ｔｂ以上であるか否かを判定する（Ｓ１５２）。カウンタＴｘ１が所定時間Ｔｂ以上でないときは（Ｓ１５２：Ｎｏ）、電源が投入されていない時間の累積カウンタＴｘ２が、所定時間Ｔｃ以上であるか否かを判定する（Ｓ１５３）。
【０１２２】
そして、カウンタＴｘ１が所定時間Ｔｂ以上であるとき（Ｓ１５２：Ｙｅｓ）、またはカウンタＴｘ２が所定時間Ｔｃ以上であるときは（Ｓ１５３：Ｙｅｓ）、クリーニングが必要な状態であると判断され、フラグＧに１をセットして終了する（Ｓ１５４）。
【０１２３】
カウンタＴｘ２が、所定時間Ｔｃ以上でないときは（Ｓ１５３：Ｎｏ）、さらに、再生ヒータ４０がオンされているか否かを判定する（Ｓ１５５）。再生ヒータ４０がオンされている場合には（Ｓ１５５：Ｙｅｓ）、カウンタＴｘ４が所定時間以上であるか否かを判定する（Ｓ１５６）。カウンタＴｘ４が所定時間を経過していないときは、そのまま処理を終了する（Ｓ１５６：Ｎｏ）。
【０１２４】
所定時間が経過しているときは（Ｓ１５６：Ｙｅｓ）、カウンタＴｘ１〜３をリセットし、フラグＧに０をセットする（Ｓ１５７，Ｓ１５８）。これは、所定時間以上再生ヒータ４０がオンされていれば、回転除湿ロータ１０に吸着した有機成分等が放出され尽くされ、クリーニングと同様の効果が得られるからである。
【０１２５】
一方、ステップＳ１５５で再生ヒータ４０がオンされていないときは（Ｓ１５５：Ｎｏ）、除湿モード以外の運転モードでの運転時間の累積カウンタＴｘ３が、所定時間Ｔｄ以上であるか否かを判定する（Ｓ１５９）。Ｔｄ以上であれば、クリーニングが必要な状態であると判断され、フラグＧに１をセットする（Ｓ１６０）。
【０１２６】
ステップＳ１５１において、フラグＧに１がセットされていれば、制御装置５１９はクリーニングモードを実行する（Ｓ１６１）。クリーニングモード実行後、カウンタＴｘ１〜２をリセットし、フラグＧに０をセットして、処理を終了する（Ｓ１６２，Ｓ１６３）。
【０１２７】
なお、Ｔｄは、Ｔｂ及びＴｃよりも短い時間が設定されている。これは、何らかの運転モードで動作させた場合の方が、回転除湿ロータの汚れる速度が速いからである。
【０１２８】
また、図９の「暖房」スイッチが入力を受け付け、循環ファン２０及び暖房ヒータ３０が動作して「暖房」モードを実行している最中に、循環ファン２０及び暖房ヒータ３０の動作を継続したまま、再生ファン５０及び再生ヒータ４０を動作させて回転除湿ロータ１０を加熱するクリーニングモードを実行してもよい。
【０１２９】
なお、本発明では「暖房」モード時にクリーニングモードを行うよう構成しているが、各運転モードの終了間際にクリーニングモードを実行し、浴室暖房機の運転を終了するよう構成してもよい。
【０１３０】
次に、本発明における「暖房」モード開始時に行われる異臭軽減モードの詳細を以下図２１以降の図面を用いて説明する。「暖房」モード開始時に行われる異臭軽減モードの第１実施例を図２１に示すタイムチャートを用いて説明する。
【０１３１】
操作パネル７００に設けられた運転モードスイッチの「暖房」モードスイッチを時刻Ｔ１でＯＮした場合、通常であれば、すぐに循環ファン２０が使用者の指示に基づく強や弱の回転数に従って循環ファン用モータ５４１が駆動され、暖房ヒータ３０もＯＮされて暖房が開始される。しかし、このようにすぐに「暖房」モードが開始されると、循環ファン２０によって大量に浴室内の多湿空気が吸引され、回転除湿ロータ１０の除湿通路に吸着されていた異臭物質が吸引された空気中の水分と一気に置換されて浴室内に放出されてしまう。そのため使用者に異臭に伴う不快感を与えてしまう。
【０１３２】
本発明においてはこれを軽減するために複数の異臭軽減を図る対策が織り込まれている。以下に本発明者らが工夫を加えた異臭軽減策が詳細に理解できるように説明する。
【０１３３】
具体的には、時刻Ｔ１で「暖房」モードスイッチがＯＮされると、循環ファン２０の回転数が除々に高まるように循環ファン用のモータ５４１が制御される。これが異臭軽減モードの対策の一つである。これによって、回転除湿ロータ１０に異臭物質が多く吸着されている状態である可能性が高い開始初期において、循環ファン２０が急激にかつ大量に多湿空気を吸引してしまうと、一気に、かつ大量に異臭物質と水分が置換されてしまうため、これを抑制しているものである。この対策によって、置換が徐々に行われるため微量の異臭物質が放出されるだけになるため、異臭を不快に感じないレベルまで軽減できる。
【０１３４】
また、循環ファン２０は、Ｔ２まで通常回転より低いＬＯ回転に規制されるように工夫しているものであり、これが対策の二つ目である。同様に異臭を軽減できるように吸引量を小さく抑えているものである。また、このように循環ファン２０の回転数を下げることで浴室内に噴出された空気の勢いも下げることができるため使用者の鼻を直撃するような所まで温風が到達せず、これによっても異臭を軽減できているものである。
【０１３５】
ここでは、記載していないが、吹出口に設けたルーバーを使用者側ではなく天井に沿わせるような方向に指向させて鼻を直撃しないようにも配慮もしている。
【０１３６】
なお、ここで、通常の回転数としているのは、使用者によって指示される弱回転や強回転を通常としているものであり、このＬＯは弱回転より更に回転数を下げた異臭軽減モード専用の低回転数を意味している。
【０１３７】
Ｔ２以降は、使用者に指示された通常の回転数に移行させるようにしていることが理解できる。但し、Ｔ３までが異臭軽減モードの期間であり、循環ファン２０はそれよりも早いＴ２で通常回転にしているものである。これは、使用者が「暖房」モードを所望してスイッチ操作した状況において、異臭を軽減するためとはいえ暖房が抑制される状態が長く続くことは強い違和感を与えることから、いち早く暖房を開始させているものである。しかし、Ｔ２までの異臭軽減モードの実行によって、異臭による不快感は感じないレベルまで抑え込むことができていることは言うまでも無い。
【０１３８】
なお、Ｔ２までの時間において、暖房ヒータ３０がＴ１でＯＮされているにも関わらず循環ファン２０をＬＯ回転で駆動しているのは先の理由と同じで、全く循環ファン２０が動作しなければ使用者が暖房感を全く受けることができないだけでなく、操作したにも関わらず、動作音や暖房風が全く出ない状態は、使用者が故障していると感じる可能性があるためである。
【０１３９】
次に異臭軽減モードの対策の三つ目を説明する。それは、「暖房」モードの開始直後は、全量循環側に風が送られるようにするのが通常であるが、本発明では、異臭軽減モードの実行期間であるＴ３までダンパ７０を巧みに動かして排気している。これが３つめの対策である。
【０１４０】
「暖房」モードの開始直後は、回転除湿ロータ１０が多量の異臭物質が吸着された状態にある可能性が高く、これに起因して「暖房」モードの開始直後は高濃度の異臭が放出される可能性が高い。したがって、使用者に強い不快感を与える可能性が高い「暖房」モード開始直後は、全量が排気されるよう構成されている。
【０１４１】
その後の期間は、循環ファン２０のＬＯ回転で吸引された少な目の空気の中にあって、それでも３／５量を排気する構成としている。これによって使用者が異臭による不快感を殆ど受けることがないようにしているものである。２／５量が循環側に噴出されるのは先にも説明した通り使用者に暖房感を与えるためである。
【０１４２】
Ｔ２以降は、循環ファン２０の回転が通常になるため本格的な「暖房」モードに移行するが、Ｔ３までは、１／５量を排気することで十分な暖房感を与えながら異臭に伴う不快感を軽減できるようにしているものである。
【０１４３】
本実施例に盛り込まれた異臭軽減対策の四つ目を説明する。この四つ目は先にも説明がした回転除湿ロータ１０を加熱することによって異臭物質を強制放出させる加熱クリーニングを行う対策である。詳細は既に先に説明しているのでここでは概略だけを説明する。
【０１４４】
時刻Ｔ１のタイミングに同期して時刻Ｔ３までの間、再生ファン５０、再生ヒータ４０をＯＮさせることで回転除湿ロータ１０を加熱している。さらに、除湿モードにおける回転除湿ロータ１０の回転を通常として表記しているが、それよりも低い回転数でクリーニングは行っていることが読み取れる。これは、水分を回転除湿ロータ１０から蒸発させる目的であれば通常回転で何等問題ないが、異臭物質を放出させるためには回転除湿ロータ１０の温度をさらに高める必要があるため、再生ヒータ４０と対応する位置に除湿時より長く位置させることで空気と回転除湿ロータ１０の熱交換時間を長くして、回転除湿ロータ１０の温度が高くなるようにしているものである。これによって確実に回転除湿ロータ１０の特に厚さ方向において異臭物質の除去がムラ無く確実に行えるようになるものである。
【０１４５】
しかし、回転除湿ロータ１０全てをクリーニングするのに時間を要してしまうという問題がある。
【０１４６】
ここで、この先の実施例においては、回転除湿ロータ１０の回転数を低下させているために、クリーニングが完了するまでに多くの時間を要するという課題があったことから、この課題に鑑みて本発明の発明者らは更に工夫を施している。この加熱クリーニングの変形例という形で以下第２実施例、第３実施例を説明する。タイムチャート等で変更の無い部分は第１実施例や先の説明と同一であるため詳細な説明は割愛する。
【０１４７】
第１実施例が通常より回転除湿ロータ１０の回転速度を下げていたのに対し、図２２に示す第２実施例では、時刻Ｔ１のタイミングでＴ２より早い時刻のＴ４まで反対に通常回転より回転数を高めているのが大きな違いである。
【０１４８】
このようにすることで、当然再生ヒータ４０で加熱された加熱空気と回転除湿ロータ１０との熱交換時間が短くなるため異臭物質の加熱による放出は十分に行なうことができなくなる。上昇させる回転数の程度にもよるが、本発明でイメージしている状態は回転除湿ロータ１０の厚さ方向において、再生ヒータ４０側の略半面もしくは、半面より若干多い程度のクリーニングができるイメージをしている。
【０１４９】
ご理解頂ける通り、これだけクリーニングをすれば、循環風路９００内に位置する回転除湿ロータ１０の体積の半分はクリーニングできている状態になるため、大量の異臭物質が大量に一気に浴室内に放出されて使用者に不快感を与えるという状態を防止できるものである。
【０１５０】
結果、Ｔ２より早い時刻のＴ４で「暖房」モードの実行を本格開始しても、異臭に伴う不快感を与えるような状況が生じることは無い。また、使用者の暖房を行いたいというニーズにもいち早く応えることができるという優れた効果を奏することができる。
【０１５１】
なお、Ｔ４以降で暖房が本格的に開始された後は、時刻Ｔ３まで再生ヒータ４０から遠い反対側の面もクリーニングできるように、回転除湿ロータ１０の回転をＬＯに低下させて熱交換時間を増やして完全にクリーニングすることが望ましい。
【０１５２】
第３の実施例を図２３を用いて説明する。
この実施例は第２実施例と同様の考えに基づく案であり、時刻Ｔ１〜Ｔ３までの異臭軽減期間内で一定のクリーニングを行うのではなく、異臭による不快感を使用者に与えることなく「暖房」モードにいち早く移行できるようにクリーニングの方法にメリハリを付けたものである。
【０１５３】
詳細には、図２３ａの状態が先の実施例で言うＴ１の時刻の状態であり、この状態では回転除湿ロータ１０を回転させない、もしくはＬＯ回転で送りながら図２３ｂのＸの領域だけ完全に加熱クリーニングを行う。予め決定されたＸの領域の加熱クリーニングが完了すると、回転除湿ロータの回転をＨＩもしくはそれ以上の回転数にして再生風路の領域２００から循環風路の領域９００内に一気加熱クリーニングエリアＸを送ってしまう構成である。
【０１５４】
この構成から理解できる通り、循環風路９００内に位置する回転除湿ロータ１０の必要領域（異臭による不快感を感じない大きさの加熱クリーニングが完了した領域の大きさ。本実施例ではＸ）をいち早く確保できるため、大量の異臭物質が一気に浴室内に放出されて使用者に不快感を与えることがなく、その一方で極めて早く暖房を実行できるものである。
【０１５５】
この第３の実施例によれば、「暖房」モードを本格移行させるＴ４の時刻を第２の実施例より早くすることが可能になる。
【０１５６】
また、この第３実施例においてもＴ４の時刻以降は、第２実施例と同様にＬＯ回転で回転除湿ロータ１０を回転させながら加熱クリーニングが行われるものである。
【０１５７】
なお、本第３実施例では、Ｔ１時刻で回転除湿ロータ１０を停止もしくはＬＯ回転で駆動したが、Ｔ１時刻で、まず再生風路２００内にある回転除湿ロータ１０の領域が完全に循環風路９００内に入るように高速に送ってしまってから、循環風路９００内にあった領域の回転除湿ロータ１０の領域を加熱クリーニングさせるようにしても良い。
【０１５８】
これは、再生ヒータ４０と対面していた回転除湿ロータ１０の領域は「除湿」モードや加熱クリーニング中に既に加熱クリーニングが完了している領域である事に加え、「暖房」、「換気」、「涼風」などのモードでは、循環ファン２０によって吸引された空気が除湿通路を通過しないため、これらのモードの運転時に異臭物質が吸着されることがなく、異臭物質が吸着されていない綺麗な状態であるためである。
【０１５９】
このようにすることで、クリーニングされた領域をいち早く循環風路９００内に位置させることができるため、不快な異臭を感じさせること無く、極めて早急に「暖房」モードを本格始動できる。これを第３実施例と組み合わせればＴ４を一層早めることができる。
【０１６０】
なお、本実施例では、４つの異臭軽減対策を複合実施することで異臭軽減モードとして構成しているが、対策はいずれか一つ、もしくはいずれか数個の組合せによって構成されるものであって良いことは言うまでもない。
【０１６１】
複合的に組み合わせることで早い時期に「暖房」モードへの以降が行え、かつ早い時期に暖房へ移行したにも関わらず異臭に対して十分な抑え込みが可能になるということであり、異臭物質の吸着量や、異臭に対する不快感レベルの考え方によって適宜設定すれば良い物である。
【０１６２】
また一方で、「暖房」モードの開始直後だけに異臭物質のクリーニングをして除去するのではなく、涼風や換気、除湿などのモードの開始直後や途中、もしくは終了時、もしくは定期的にクリーニングを行えば、回転除湿ロータ１０の除湿通路に異臭物質が大量に吸着蓄積されてしまうことが抑制できるため、このように複合的にクリーニングを行うような場合であれば、この「暖房」モード開始初期に行う異臭軽減モードの対策も軽微で済むため、当然に軽い対策を短い時間だけ行うようにできるものである。
【０１６３】
また本実施例では、再生ヒータを用いた加熱により回転除湿ロータをクリーニングしているが、回転除湿ロータ空気を強制的に吹き付けることにより、異臭物質を狙って放出させるといったクリーニング方法も考えられる。
【０１６４】
また、水と置換されて異臭物質が放出されるため、水や、霧状の水、高温多湿の水蒸気などを吹付けて強制的に異臭物質と水を狙って置換させて、異臭物質を放出させ、それを換気などして室外に放出させる水噴射式のクリーニングなども考えられ。
【０１６５】
また本実施例では、除湿モードが行われれば再生ヒータによる加熱が行われるため、実質的にクリーニングが行われる形態になることから、別途クリーニングを行う必要がないという形態になっているが、これの前提とするところは、除湿モードでの水分を蒸発させるための加熱温度が、異臭物質を放出させるに足る十分な温度を有しているということであり、よって、低温で除湿モードを行って、ゆっくりと蒸発をさせるような除湿モードの形態にあっては、異臭物質を十分に放出させることができないため、この場合は、除湿モードが行われてもクリーニングを別途行う必要があることは言うまでもない。
【０１６６】
また、除湿モードが行われたからと言ってクリーニングが行われなかった累積時間がリセットされるようにすることも望ましくないのは言うまでもない。
【０１６７】
また本実施例では、異臭物質を加熱し、異臭物質に熱エネルギを与えて除湿通路から放出させることで回転除湿ロータ１０をクリーニングする方法を開示したが、これに限られるものではなく、例えば、回転除湿ロータ１０にマンガンなどの異臭物質を分解する触媒を担持させ、この触媒を活性化させるために加熱し、活性化した触媒によって異臭物質を分解させるという方法で、異臭物質を回転除湿ロータ１０から除去するクリーニング方法も、本発明の加熱クリーニングの概念に含まれるものであることは言うまでも無い。
【図面の簡単な説明】
【０１６８】
【図１】本発明の一実施形態に係る浴室暖房機の使用形態の一例を示す。
【図２】浴室暖房機１の下方からの斜視図である。
【図３】浴室暖房機１の暖房機本体５０１の下方からの斜視図である。
【図４】図３の暖房機本体５０１の上方からの斜視図である。
【図５】図５Ａは、浴室暖房機１の底面図である。図５Ｂは、浴室暖房機１の上面図である。
【図６】図５Ａの６−６断面図である。
【図７】図５Ｂの７−７断面図である。
【図８】浴室暖房機１の制御系を示すブロック図である。
【図９】操作パネル７００の一例を示す。
【図１０】「浴室除湿」モードの場合のダンパの状態や空気の流れを示す。
【図１１】「衣類乾燥」モード及び「涼風」モードの場合のダンパの状態や空気の流れを示す。
【図１２】「暖房」モードの場合のダンパの状態や空気の流れを示す。
【図１３】「換気」モードの場合のダンパの状態や空気の流れを示す。
【図１４】第１のクリーニング判定制御の処理手順を示す。
【図１５】クリーニングモードの第１の処理手順を示す。
【図１６】クリーニングモードの第２の処理手順を示す。
【図１７】第２のクリーニング判定制御の処理手順を示す。
【図１８】第３のクリーニング判定制御の処理手順を示す。
【図１９】第４のクリーニング判定制御の処理手順を示す。
【図２０】第５のクリーニング判定制御の処理手順を示す。
【図２１】「暖房」モード開始時の異臭軽減モードの第１実施例を示す。
【図２２】「暖房」モード開始時の異臭軽減モードの第２実施例を示す
【図２３】「暖房」モード開始時の異臭軽減モードの第３実施例を示す
【符号の説明】
【０１６９】
１…浴室暖房機  １０…回転除湿ロータ  ２０…循環ファン  ３０…再生ファン  ４０…再生ヒータ  ５０…再生ファン  ６０…回転除湿ロータ用モータ  ７０…ダンパ  １００…排気風路  ２００…再生風路  ５０１…暖房機本体  ５０９…表面グリル  ５１１…吸込口  ５１２…排気口  ５１９…制御装置  ９００…循環風路  ９００Ａ…循環風路上流部  ９００Ｂ…循環風路下流部
【図１】
2008157569.tif 000003
【図２】
2008157569.tif 000004
【図３】
2008157569.tif 000005
【図４】
2008157569.tif 000006
【図５】
2008157569.tif 000007
【図６】
2008157569.tif 000008
【図７】
2008157569.tif 000009
【図８】
2008157569.tif 000010
【図９】
2008157569.tif 000011
【図１０】
2008157569.tif 000012
【図１１】
2008157569.tif 000013
【図１２】
2008157569.tif 000014
【図１３】
2008157569.tif 000015
【図１４】
2008157569.tif 000016
【図１５】
2008157569.tif 000017
【図１６】
2008157569.tif 000018
【図１７】
2008157569.tif 000019
【図１８】
2008157569.tif 000020
【図１９】
2008157569.tif 000021
【図２０】
2008157569.tif 000022
【図２１】
2008157569.tif 000023
【図２２】
2008157569.tif 000024
【図２３】
2008157569.tif 000025